(57)【要約】【課題】指向性光源を一対の面状光透過部の端部に配置してこれを光源とする照明構造をとる場合であっても、導光板を使用せずに面状光透過部を面発光させることができる照明装置を提供する。【解決手段】照明灯具２の一対の光出口である平面形状のレンズ１３の内部の両端に、照明光源としてＬＥＤ１７が縦向きに配置される。レンズ１３の裏面に、光の拡散機能及び反射機能を併せ持つ光拡散フィルム２２を取り付ける。また、一対の光拡散フィルム２２は平行に対向する位置に、間隔を空けた状態で取り付ける。ＬＥＤ１７の照射光は、一対の光拡散フィルム間で反射し合いながら照射方向に導かれるとともに、光拡散フィルム２２の拡散効果により、光の照射方向と垂直に交わる直交方向に拡散されて、レンズ１３から面発光する。【選択図】図９
2010177196.tif 000002
【特許請求の範囲】
【請求項１】
装置ケースの両面に光出口として一対の面状光透過部を持ち、
当該装置ケースの内部において該面状光透過部の端部に、照射光が指向性を持つ指向性光源を配置し、
当該指向性光源から前記面状光透過部のもう一方の端部に向かって照射される前記照射光を前記面状光透過部から導出する照明装置において、
前記一対の面状光透過部の裏面に、透光性の一対の光調整部材を平行に配置し、
前記指向性光源は、複数の光源体から構成され、
前記面状光透過部の各端部において一方側に配置された前記指向性光源の各々の前記光源体と、それらと対向するもう一方側に配置された前記指向性光源の各々の前記光源体とは、その前記指向性光源の照射軸方向に対する直交方向において交互に配置されており、
かつ、前記指向性光源が、前記一対の光調整部材の間の空間において、その照射軸が該一対の光調整部材と平行になるように配置され、
前記一対の光調整部材の前記一対の面状光透過部側には、平行に延びる複数の溝が形成されるとともに前記一対の光調整部材の対向する側は平坦に形成され、前記一対の光調整部材が、自身の該溝の溝方向と前記指向性光源の照射軸方向とが同方向をとる向きで前記装置ケースに取り付けられ
当該一対の光調整部材は、前記指向性光源によって当該光調整部材に入射した照射光を、前記複数の溝により前記指向性光源の照射軸と直交する方向に拡散する拡散効果と、その入射側に折り返す反射効果とを有し、
当該一対の光調整部材が持つ互いの反射効果によって、前記照射光を前記面状光透過部の他端まで導く導光効果、
及び前記拡散効果の複合効果によって、前記一対の面状光透過部を面全体に亘って光らせる両面発光により照明を行うことを特徴とする照明装置。
【請求項２】
前記一対の光調整部材は、シート状をなしたシート材であることを特徴とする請求項１に記載の照明装置。
【請求項３】
前記一対の光調整部材に形成された平行に延びる複数の溝は、互いに等間隔の距離をおいて形成されていることを特徴とする請求項１又は請求項２に記載の照明装置。
【請求項４】
前記一対の光調整部材に形成された溝は、奥に向かうに従い深さ幅が連続的に小さくなる断面三角形状の穴形状をとり、６０度〜１２０度の間の溝角度が付けられたことを特徴とする請求項１〜３のいずれか一項に記載の照明装置。
【請求項５】
前記一対の光調整部材は、表面側がアクリル系樹脂により形成されるとともに、裏面側がポリエステルフィルム層からなる２重構造をとっていることを特徴とする請求項１〜４のいずれか一項に記載の照明装置。
【請求項６】
前記指向性光源は、ＬＥＤから構成されることを特徴とする請求項１〜５のいずれか一項に記載の照明装置。
【請求項７】
前記指向性光源の照射光を前記一対の光調整部材によって前記一対の面状光透過部から面発光させる機能単位を複数備えることを特徴とする請求項１〜６のうちいずれか一項に記載の照明装置。
【発明の詳細な説明】
【技術分野】
【０００１】
本発明は、照射光が指向性を持つ指向性光源を照明光源として持ち、この光源の照射光を面状光透過部に導いて、発光面からの面発光により照明を行う照明装置に関する。
【背景技術】
【０００２】
従来、光源として発光ダイオード（ＬＥＤ：Light Emitting Diode）を用いた照明装置としては、例えば照明装置の発光面（面状光透過部）をカバーとしてこの内部に複数のＬＥＤを発光面に対して水平方向に並べて配置し、これらＬＥＤの光（発光部分）を、光の出口である発光面から外部に導出することにより、発光面から光を外部に照射する構成をとるものが主流である。しかし、この照明装置は、ＬＥＤが点灯状態をとった際、外部からこの照明装置を観察すると、各々のＬＥＤは、光の照射方向の基軸（照射軸）が発光面から外部に導出する方向とほぼ同方向（即ち、発光面と直交方向）に配置されているために、ＬＥＤの発光部分が光の粒（輝点）として見えてしまうので、発光面に光の均一性がなく、点灯の見栄えが悪いという問題があった。
【０００３】
通常、発光面からの照射光を均一に見せる対策としては、例えば乳白色の樹脂や磨りガラス等からなるレンズを使用したり、或いはレンズにレンズカットを形成したりするなど、光源からの光を拡散させるための細工が必要となる。しかし、ＬＥＤのような指向性のある光源においては、光の指向性が強いが故に、これらの対策を用いても発光面を均一に見せる（面発光させる）のは困難である。その上で、一定以上の光の均一輝度を保つためには、複数のＬＥＤを使用しなければならず、この場合は発光面積が増えれば増えるほど、その分だけより多くのＬＥＤが必要となるので、ＬＥＤに要する部品コストが多くかかる問題に繋がってしまう。
【０００４】
この問題を解決するための有効な対策として、例えば図１１に示すように、ＬＥＤ８１（高輝度発光ダイオード）と導光板８２とを組み合わせたエッジライト方式を使用した照明装置８３（例えば、特許文献１参照）がある。この照明装置８３では、導光効果を持つようブラスト成形等で加工した透明度の高い樹脂板からなる導光板８２を用い、この導光板８２のエッジ部分（端縁部分）にＬＥＤ８１を配置し、このエッジ部分にＬＥＤ８１の光を入射する。そして、ＬＥＤ８１の光を導光板８２によって拡散させ、この光を発光部８４の発光面から均一に見える照射光として出力させる。
【先行技術文献】
【特許文献】
【０００５】
【特許文献１】特開２００２−２２９０２２号公報
【発明の概要】
【発明が解決しようとする課題】
【０００６】
ところで、この種の導光板８２は、樹脂に細かい加工や印刷等が必要となるので、部品コストが総じて高いという現状がある。よって、照明装置８３の照射光の均一化を図る際に、このような導光板８２を使用すると、ＬＥＤ８１の個数は少なく抑えられるものの、今度は導光板８２を用意するためのコストが逆にかかり、結局のところ照明装置８３の装置コストを低く抑えることには繋がらない現状があった。また、この種の導光板８２には、重量が大きいという欠点も存在するので、照射輝度均一化の部品として導光板８２を使用すると、照明装置８３の重量が重くなる問題にも繋がっていた。
【０００７】
本発明の目的は、指向性光源を発光面の端部に配置してこれを光源とする照明構造をとる場合であっても、導光板を使用せずに発光面を面発光させることができる照明装置を提供することにある。
【課題を解決するための手段】
【０００８】
前記問題点を解決するために、請求項１に係る発明では、装置ケースの両面に光出口として一対の面状光透過部を持ち、当該装置ケースの内部において該面状光透過部の端部に、照射光が指向性を持つ指向性光源を配置し、当該指向性光源から前記面状光透過部のもう一方の端部に向かって照射される前記照射光を前記面状光透過部から導出する照明装置において、前記一対の面状光透過部の裏面に、透光性の一対の光調整部材を平行に配置し、前記指向性光源は、複数の光源体から構成され、前記面状光透過部の各端部において一方側に配置された前記指向性光源の各々の前記光源体と、それらと対向するもう一方側に配置された前記指向性光源の各々の前記光源体とは、その前記指向性光源の照射軸方向に対する直交方向において交互に配置されており、かつ、前記指向性光源が、前記一対の光調整部材の間の空間において、その照射軸が該一対の光調整部材と平行になるように配置され、前記一対の光調整部材の前記一対の面状光透過部側には、平行に延びる複数の溝が形成されるとともに前記一対の光調整部材の対向する側は平坦に形成され、前記一対の光調整部材が、自身の該溝の溝方向と前記指向性光源の照射軸方向とが同方向をとる向きで前記装置ケースに取り付けられ、当該一対の光調整部材は、前記指向性光源によって当該光調整部材に入射した照射光を、前記複数の溝により前記指向性光源の照射軸と直交する方向に拡散する拡散効果と、その入射側に折り返す反射効果とを有し、当該一対の光調整部材が持つ互いの反射効果によって、前記照射光を前記面状光透過部の他端まで導く導光効果、及び前記拡散効果の複合効果によって、前記一対の面状光透過部を面全体に亘って光らせる両面発光により照明を行うことを要旨とする。
【０００９】
ここで、「光源の照射軸」とは、光源からの配光（光束）分布の中心軸を言い、この照射軸上では、光源から等距離の位置において、単位面積当たりの光束量がおよそ最大となるような性質を有する。なお、この中心軸は、例えば、電球や砲弾型のＬＥＤにおける構造的（幾何学的）な対称軸を必ずしも意味するものではない。
【００１０】
この構成によれば、面状光透過部（発光面）に指向性光源が映り込んで見栄えが悪くならないように、一対の面状光透過部の端部に照明光源が配置される。そして、この指向性光源が発光した際、この照射光の一部が光調整部材の拡散効果により指向性光源の照射軸に対して垂直に交わる直交方向に拡散されて、一対の面状光透過部から外部に放射される。また、反射効果をも有する一対の光調整部材を向き合わせて配置することにより生じる導光効果により、この２者間に通した照射光が、その照射方向（照射軸方向）に導かれるので、指向性光源の反射光の多くがケース反対側の端部にまで届くようになる。このため、指向性光源の光が面状光透過部（発光面）に広く行き渡るので、例えば高価な部品である導光板を使用せずとも、一対の面状光透過部を面発光させる両面発光が可能となる。
【００１１】
さらに、本発明では、発光部の両端部に面発光の光源を配置したので、発光部の両側をともに明るく照らし出すことが可能となる。このため、例えば光源の照射光の発光方向において片側のみが明るく、もう片側が暗くなってしまうような照明状態をとり難くすることが可能となる。
【００１２】
加えて、本発明では、面状光透過部の両端部において一方側に配置された複数の光源体の間が、これらと対向する位置に配置された光源体の光によって照明される。このため、面状光透過部の両端部の一方側に配置された隣同士の光源体の間が、対向する光源によって光が補われるので、面発光の均一化を一層図ることが可能となる。
【００１３】
その上、溝の界面における光の屈折及び反射作用により、光調整部材に入射された光が、この光の照射方向（照射軸方向）に対して垂直に交わる直交方向に拡散するという拡散効果によって、光源の照射光がこの直交方向に広がる。また、特に、溝が隣同士のものと等間隔をおいて平行に延びるように規則正しく配置された場合、光が規則正しく反射して他端まで導かれるという導光効果により、光源の照射光を光調整部材の溝方向に沿って遠くまで届かせられる。このため、指向性光源の光が照射方向及びその直交方向の両方向に広がるので、発光面をより一層均一に照明させることが可能となる。
【００１４】
請求項２に係る発明では、請求項１に記載の照明装置において、前記一対の光調整部材は、シート状をなしたシート材であることを要旨とする。
この構成によれば、光調整部材の厚さを薄くすることができるので、照明装置の厚さサイズを小さくすることが可能となる。
【００１５】
請求項３に係る発明では、請求項１又は請求項２に記載の照明装置において、前記一対の光調整部材に形成された平行に延びる複数の溝は、互いに等間隔の距離をおいて形成されていることを要旨とする。
【００１６】
請求項４に係る発明では、請求項１〜３のいずれか一項に記載の照明装置において、前記一対の光調整部材に形成された溝は、奥に向かうに従い深さ幅が連続的に小さくなる断面三角形状の穴形状をとり、６０度〜１２０度の間の溝角度が付けられたことを要旨とする。
【００１７】
請求項５に係る発明では、請求項１〜４のいずれか一項に記載の照明装置において、前記一対の光調整部材は、表面側がアクリル系樹脂により形成されるとともに、裏面側がポリエステルフィルム層からなる２重構造をとっていることを要旨とする。
【００１８】
請求項６に係る発明では、請求項１〜５のいずれか一項に記載の照明装置において、前記指向性光源は、ＬＥＤから構成されることを要旨とする。
請求項７に係る発明では、請求項１〜６のいずれか一項に記載の照明装置において、前記指向性光源の照射光を前記一対の光調整部材によって前記一対の面状光透過部から面発光させる機能単位を複数備えることを要旨とする。
【００１９】
この構成によれば、発光面積を大きく取った照明装置にも照明の光源として応用可能となる。
【発明の効果】
【００２０】
本発明によれば、指向性光源を発光部の端部に配置してこれを光源とする照明構造をとる場合であっても、導光板を使用せずに発光面から面発光させることができる。
【図面の簡単な説明】
【００２１】
【図１】一実施形態における照明装置が設置された車内の外観を示す斜視図。
【図２】照明装置の具体的構成を示す分解斜視図。
【図３】照明装置の外観を示す斜視図。
【図４】照明装置の内部構造を示す縦断面図。
【図５】照明装置の光源であるＬＥＤの配置位置を示す模式図。
【図６】光拡散フィルムの外観を示す平面図及びその部分拡大図。
【図７】光拡散フィルムの表面形状を示す拡大斜視図。
【図８】光拡散フィルムで光が拡散及び屈折する状態を示す説明図であり、（ａ）は入射角が臨界角よりも小さい場合、（ｂ）は入射角が臨界角よりも大きい場合、（ｃ）は入射が臨界角とほぼ同じ値をとる場合の説明図。
【図９】別例における照明装置の一例を示す縦断面図。
【図１０】他の別例おける照明装置の一例を示す構成図。
【図１１】従来における照明装置の構成例を示す縦断面図。
【発明を実施するための形態】
【００２２】
以下、本発明を具体化した照明装置の一実施形態を図１〜図８に従って説明する。
図１に示すように、車両１の車内天井には、車内を照明する器具として照明灯具２が設けられている。この照明灯具２には、照明灯具２の動作モードを切り換える際に操作するスライド式の操作スイッチ３が設けられている。操作スイッチ３は、ドア点灯位置、オン位置、オフ位置の３位置に操作可能であり、操作スイッチ３がドア点灯位置に操作されると、車両ドア４を開けた際に照明灯具２が点灯し、操作スイッチ３がオン位置に操作さると、照明灯具２が常時点灯状態をとり、操作スイッチ３がオフ位置に操作されると、照明灯具２が常時消灯状態をとる。なお、照明灯具２が照明装置に相当する。
【００２３】
図２に示すように、照明灯具２には、照明灯具２の本体ケース５の基材部分として長四角平板形状をなしたベース部材６が設けられている。このベース部材６の上面６ａ側には、ベース部材６を上から閉じる上蓋としてカバー７が例えばネジ８により取り付け固定されている。カバー７におけるネジ８の取り付け先であるネジ取付部９は、カバー７の段差部１０に設けられ、この段差部１０にネジ用蓋１１を取り付けることにより、ネジ取付部９に螺着されたネジ８が外部に露出しないように意匠性が確保されている。なお、本体ケース５が装置ケースに相当する。また、カバー７の外面側が装置ケースの表面、ベース部材６の外面側が装置ケースの裏面に相当し、ベース部材６の上面６ａが装置ケースの底面の内面に相当する。
【００２４】
図２及び図３に示すように、カバー７には、その中央から反ネジ側端部までの一帯に亘り、本体ケース５の外壁であるカバー上壁を長四角形状に刳り抜くことにより開口部１２が形成されている。この開口部１２には、照明灯具２の光出口として平面形状（板形状）のレンズ１３が取り付けられている。本例の照明灯具２は、レンズ１３の表面全域から光を照射させる面発光によって周囲を照明する。レンズ１３は、ダイヤカット形状をとり、発光面の面全体が光るように面発光の均一化を補助する。レンズ１３は、自身の端縁に形成された複数の引掛部１４を、開口部１２の周縁に形成された対応する引掛穴１５に各々係止することにより、カバー７に組み付けられている。また、本例の照明灯具２は、カバー７側のみから光を照射する片面発光式となっている。なお、レンズ１３が面状光透過部に相当する。
【００２５】
図２、図４及び図５に示すように、ベース部材６において照明灯具２の幅方向（図２のＸ軸方向）の両端には、互いに向き合う位置状態で一対の光源ユニット１６が取り付けられている。これら光源ユニット１６は、照明灯具２の長手方向（図２のＹ軸方向）に沿って等間隔に配置された複数のＬＥＤ１７，１７…と、これらＬＥＤ１７，１７…が実装された長細い板形状のＬＥＤ基板１８とからなる。なお、照明灯具２の光源としてＬＥＤ１７を使用するのは、ＬＥＤ１７には長寿命であるという利点があるため、光源交換等の作業の手間を省けるからである。また、ＬＥＤ基板１８の端部（図２の手前側端部）には、ＬＥＤ１７を電機接続するための一対の基板端子１９，１９（片側のみ図示）が設けられている。なお、光源ユニット１６が指向性光源に相当し、ＬＥＤ１７が指向性光源における複数の光源体に相当する。
【００２６】
これら光源ユニット１６，１６は、ベース部材６の幅方向両端部に折り曲げ形成された立設片２０，２０に、例えば接着テープ等によって各々縦向き（垂直方向）に取り付けられている。このため、ＬＥＤ１７は、レンズ１３の発光面に対して平行方向（以降、図５に示す発光方向Ｋｃと記す）に光を照射する。即ち、ＬＥＤ１７の照射軸は、レンズ１３の発光面に対して垂直な位置関係となる。なお、発光方向Ｋｃは、ＬＥＤ１７の照射軸をとることに加え、照明灯具２の長手方向に対して垂直方向をとることも含む。また、本例の照明灯具２の照明構造は、幅方向端部から照射されるＬＥＤ１７の光を、照明灯具２の高さ方向（図２のＺ軸方向）に導いてレンズ１３から照明光として引き出す方式である。また、ＬＥＤ１７に前述の配置位置をとらせるのは、ＬＥＤ１７自体がレンズ１３に映り込ませずに、点灯の見栄えをよくするためである。更に、図５に示すように、ＬＥＤ１７は、照明灯具２の幅方向（図２のＸ軸方向）において一方の側に位置するものと、同じ幅方向においてもう一方の側に位置するものが、発光方向Ｋｃに対して垂直に交わる直交方向Ｋｈおいて互い違いに配置されている。
【００２７】
また、ベース部材６の上面（照明灯具２のケースで見ると内面）には、表面に光反射作用を持つ薄板形状の反射板２１が例えば接着テープ等により取り付け固定されている。この反射板２１は、対向する一対の光源ユニット１６の間に、照明灯具２の高さ方向においてレンズ１３と所定距離を開けて配置されている。反射板２１は、ＬＥＤ１７からの照射光をレンズ１３側に反射させるために働くもので、例えばＰＥＴ（Polyethylene terephthalate）により形成されている。なお、反射板２１が反射部材に相当する。
【００２８】
図２、図４、図６及び図７に示すように、レンズ１３の裏面には、入力光を集光して照射する働きを持つ光拡散フィルム２２が取り付けられている。光拡散フィルム２２は、例えばプリズムシートとも呼ばれるもので、薄い樹脂シート（樹脂フィルム）により形成されている。更に詳しく言うと、表面側（レンズ１３側）がアクリル系樹脂により形成されるとともに、裏面側（反射板２１側）がポリエステルフィルム層からなる２重構造をとっている。本例の光拡散フィルム２２は、反射板２１に対して所定間隔（隙間）を空けた状態で、図２に示すように、自身の周縁に形成された複数の係止舌片２３を、引掛穴１５，１５を連続して繋ぐ開口周縁の切込部２４に挿し込むことによりカバー７に取り付けられている。なお、光拡散フィルム２２が光調整部材に相当する。
【００２９】
図６〜図８に示すように、光拡散フィルム２２の表面には、フィルム幅方向（図７のＸ軸方向）に沿って一帯に亘って延びる線の細い溝２５，２５…が、フィルム長さ方向（図７のＹ軸方向）に沿って等間隔に並ぶ配置状態をとって複数形成されている。これら溝２５，…は、奥に向かうに従い深さ幅が連続的に小さくなる断面三角形状の穴形状をとり、所定の溝角度θ（例えば、６０度〜１２０度の間の角度）が付けられている。また、隣同士の溝間には、これら溝２５，２５を切ることによってできる断面三角形状の山部２６が複数形成されている。即ち、光拡散フィルム２２の表面には、断面三角形状の溝２５と山部２６が、フィルム長さ方向に沿って交互に形成された形状をとっている。
【００３０】
また、図６に示すように、光拡散フィルム２２は、自身に切られた溝２５の延びる方向（同図の溝方向Ｍｃ）がＬＥＤ１７の発光方向Ｋｃと平行方向をとる配置向きをとってカバー７に取り付けられている。更に、図４に示すように、反射板２１と光拡散フィルム２２との間には、所定間隔を空けて配置することにより空間領域が形成され、この空間領域がＬＥＤ１７の照射光が通る光通過領域２７となっている。
【００３１】
また、図２に示すように、ベース部材６の内面には、照明灯具２の各種電装部品が実装された基板２８がテープ部材２９を介して取り付け固定されている。この基板２８には、操作スイッチ３がどの位置に操作されたのかを検出するスイッチ回路３０が実装されている。操作スイッチ３のスイッチ操作に応じてスイッチ回路３０の接点が切り換わると、照明灯具２の動作モードがドア点灯状態、オン状態、オフ状態の３状態のうちのいずれかのモードに入る。
【００３２】
また、基板２８には、一対の光源ユニット１６，１６と基板２８とを接続する内部配線（図示略）の基板２８における接続箇所として内部配線接続回路３１が実装されている。また、基板２８には、照明灯具２の内部から外部に引き出される外部配線（図示略）の基板２８における接続箇所として外部配線接続回路３２が実装されている。更に、ベース部材６の底壁には、外部配線の引き出し孔として配線通し孔３３が貫設されている。この配線通し孔３３には、外部配線を取り付け固定するブッシング３４が取り付け可能となっている。
【００３３】
さて、この種の光拡散フィルム２２において自身の裏面（下面２２ａ：図７参照）から入り込む入射光は、そのときの入射角によって、フィルム２２の境界面（図８では境界面３５）における光の拡散成分（屈折光）や反射成分（反射光）が変わるという性質がある。ここで、屈折率が大きい媒質から小さい媒質に光が入るときに、入射光が境界面を透過せず、すべて反射する現象を全反射といい、入射角（境界面の垂線に対してなす角度）がある一定の角度以上の場合、全反射がおこる。この角度は、臨界角θｘとして知られている。光拡散フィルム２２から外面（空気中）側に光が進む場合は、屈折率が大きい媒質（光拡散フィルム２２）から小さい媒質（空気）に光が入る場合に相当するため、上述の全反射がおこる場合がある。
【００３４】
図８（ａ）に示すように、境界面３５に照射される入射光は、この境界面３５の垂線Ｌａに対してなす角度を入射角とすると、臨界角θｘよりも小さな入射角α（θｘ＞α）をとる場合、この一部が溝２５の境界面３５から屈折して上側に屈折角α１の角度をもって抜け出る（光の拡散効果）とともに、入射光の一部が境界面３５において同じ入射角αで反射しつつ、この反射光がその照射先である向かい側の境界面３６で反射する。
【００３５】
また、図８（ｂ）に示すように、境界面３５に対する入射光は、臨界角θｘよりも大きな入射角β（θｘ＜β）をとる場合、全てが溝２５の境界面３５で同じ入射角βで以て反射しつつ、この反射光がその照射先である向かい側の境界面３６に照射される。そして、この反射光が例えば臨界角θｘよりも小さい入射角β１で境界面３６に到達したとすると、この反射光は、この一部が溝２５の境界面３６から屈折して上側に屈折角β２の角度をもって抜け出るとともに、反射光の一部が境界面３６で同じβ１の角度で更に反射して、フィルム２２の内側に向かって反射される（光の反射効果）。
【００３６】
よって、光拡散フィルム２２の裏面２２ａから入射された入射光においてその一部は、この光の拡散効果によってフィルム表面から抜け出る光によって、光拡散フィルム２２の表側ではフィルム長さ方向に広がって見える。このため、本例では、図６に示すように、光拡散フィルム２２をカバー７に取り付けるに際して、ＬＥＤ１７の光の発光方向Ｋｃと光拡散フィルム２２の溝方向Ｍｃとを平行方向とすることで、ＬＥＤ１７の１本の照射光を光拡散フィルム２２により２本の照明光（図７参照）として映し出させている。これにより、光拡散フィルム２２の表面側において人の目に見える光の本数が多くなるので、レンズ１３の発光面をその長手方向（図３や図７のＹ軸方向）に広がらせることが可能となる。
【００３７】
一方、図８（ｃ）に示すように、境界面３５に対する入射光は、臨界角θｘと同じ、あるいは僅かに大きい入射角γ（θｘ≦γ＜β）をとる場合、溝２５の境界面３５において同じ入射角γで全反射するとともに更に境界面３６でも全反射して、入射光の全成分がフィルム２２の裏面側に抜け出る特性（光の反射効果）がある。よって、本例の光拡散フィルム２２では、光の入射角が臨界角θｘよりも僅かに大きい場合には、透過光がなく、すべてが全反射することから、反射効率が非常に高いものであるといえる。
【００３８】
本例では、光拡散フィルム２２の溝２５，２５…をフィルム幅方向に沿って真っ直ぐに規則正しく切り、図４に示すように、反射板２１と光拡散フィルム２２とを互いに向き合うように平行（水平）に配置させて、光拡散フィルム２２で高反射率を以て反射される光を、これら両者の間で反射を繰り返させることで光通過領域２７を作っている。このため、本例は、ＬＥＤ１７，１７…の照射光を、この光通過領域２７に光を通して反射させることによって、ＬＥＤ１７の照射光を遠くまで導く特性（光の導光効果）が得られる。よって、ＬＥＤ１７の光を照明灯具２の幅方向（図３や図７のＸ軸方向）においても広がらせることが可能となり、ＬＥＤ１７の反対側も明るく光らせることが可能となる。
【００３９】
従って、本例においては、複数の細かい溝２５，２５…が規則正しく並ぶ光拡散フィルム２２を使用し、この光拡散フィルム２２が持つ光の拡散効果と導光効果とを利用して、ＬＥＤ１７の光を照明灯具２の長手方向及び幅方向に広がらせて、レンズ１３を面発光させる。このため、エッジライト方式に沿う配置状態をとるＬＥＤ１７の光を、高価な導光板を使用せずに面発光させることが可能となる。また、更に本例では、ＬＥＤ１７を照明灯具２を左右で互い違いに配置するので、同じ配置側のＬＥＤ１７，１７の間の隙間を、反対側のＬＥＤ１７の光で埋めることが可能となる。よって、レンズ１３上での光の発光バランスがよくなり、均一度の高い状態でレンズ１３を面発光させることが可能となる。
【００４０】
本実施形態の構成によれば、以下に記載の効果を得ることができる。
（１）ＬＥＤ１７が縦向きで本体ケース５の端部に配置された方式の照明構造をとる照明灯具２において、レンズ１３の裏面に光拡散フィルム２２を取り付け、この光拡散フィルム２２が持つ溝２５の直交方向における光の拡散効果と、光拡散フィルム２２及び反射板２１の間の領域２７を通る光をこれらにより反射し合わせて遠くに導く導光効果とにより、ＬＥＤ１７の光をレンズ１３の平面方向（Ｘ方向およびＹ方向）に広げる。このため、指向性を持つＬＥＤ１７の光を面状に広げることが可能となるので、この光源を使用してレンズ１３を面発光させることができる。
【００４１】
（２）照明灯具２の光源であるＬＥＤ１７を、本体ケース５の幅方向両側に配置したので、照明灯具２の幅方向両側を、ともに明るく照らし出すことができる。このため、例えば照明灯具２の幅方向において片側のみが明るく、もう片側が暗くなってしまうような照明状態をとり難くすることができる。
【００４２】
（３）照明灯具２の幅方向において一方の側に位置するＬＥＤ１７と、もう一方の側に位置するＬＥＤ１７とが、ＬＥＤ１７の発光方向Ｋｃに対して垂直に交わる直交方向Ｋｈにおいて互い違いに配置される。このため、照明灯具２の幅方向において同じ側に位置するＬＥＤ１７の隣同士の間の隙間が、対向するＬＥＤ１７の光によって照明される。このため、この隙間の照明が補われるので、レンズ１３の面発光の均一化に効果が高くなる。
【００４３】
（４）ＬＥＤ１７の照射光をレンズ１３で面発光させるための部品として、樹脂フィルムの表面上に溝２５，２５が切られた光拡散フィルム２２が使用される。このため、フィルムの表面形状に特徴を持たせるだけで済むこの種の部品により、導光部材を使用しなくてもレンズ１３の面発光が可能となるので、実施に際して大幅なコストアップを招くことがない。
【００４４】
（５）ＬＥＤ１７の照射光をレンズ１３で面発光させるための部品として、厚さの薄いシート形状の光拡散フィルム２２を使用したので、照明灯具２の厚さサイズを小さく済ますことができる。
【００４５】
（６）照明灯具２の灯具種類を、本体ケース５の片面（上面）のみから光が照明される片側照明式とした。このため、照明灯具２の片側にのみ光透過機能を持たせば済むので、照明灯具２の構造を簡素なものとすることができる。
【００４６】
なお、実施形態はこれまでに述べた構成に限らず、以下の態様に変更してもよい。
・  光調整部材としてシート材からなる光拡散フィルム２２を使用した場合、これは必ずしもプリズムシートに限定されず、例えば光拡散シートや集光シートを採用してもよい。また、光調整部材は、必ずしもこの種の樹脂シート材に限るものではなく、例えば樹脂板やガラスを使用してもよい。
【００４７】
・  光調整部材は、必ずしも複数の規則正しく並んだ溝２５，２５を表面に持つものに限らず、光の拡散機能及び反射機能を持つものであれば、形状や材質は特に限定されない。
【００４８】
・  光拡散フィルム２２は、表側がアクリル系樹脂で、裏面側がポリエステルフィルム層からなる２重構造をとるものに限定されず、１層の材質からなるものでもよい。また、２重構造をとる場合、これらの材質はアクリル及びポリエステルフィルムに限定されず、これら以外の材質を使用してもよい。
【００４９】
・  照明灯具２は、必ずしも片面発光式に限定されない。例えば、図９に示すように、例えば反射板２１を光調整部材（即ち、光拡散フィルム２２）に置き換え、ベース部材６の一部をレンズのような透光性を有する部材とすることにより、本体ケース５の上面及び下面の両方から光が引き出される両面発光式としてもよい。
【００５０】
・  照明灯具２は、例えば図１０に示すように、ＬＥＤ１７の照射光を光拡散フィルム２２と反射板２１とで面発光させる機能単位を複数設けてもよい。この場合、照明灯具２が大型化する場合であっても、これに対応することができる。なお、この例においては、組をなすＬＥＤ１７群の間で、図１０のように光拡散フィルム２２及び反射板２１が個別に設けられるものに限らず、複数のＬＥＤ１７の組で１つの光拡散フィルム２２及び反射板２１が共用されるものでもよい。また、図１０では、片面発光式を示しているが、両面発光式としてもよいし、両者の組み合わせでもよい。
【００５１】
・  ＬＥＤ１７は、本体ケース５の幅方向両側に配置されることに限らず、一方のみに配置されるものでもよい。
・  ＬＥＤ１７は、本体ケース５の幅方向において左右で互い違いに配置されることに限らず、同じ位置に並ぶものでもよい。
【００５２】
・  指向性光源は、必ずしもＬＥＤ１７を複数もつものに限らず、１つで高い輝度が得られる場合は、１つのＬＥＤ１７から構成されるものでもよい。
・  指向性光源は、必ずしも複数配置されたＬＥＤ１７に限定されず、光源から出される光に指向性があるものであれば、どのような種のものを使用してもよい。例えば、ひとつのＬＥＤであっても良いし、あるいは、ライン型の光源としては、アーパーチャー型冷陰極管などであってよい。
【００５３】
・  レンズ１３は、必ずしも表面が平面になっているものに限らず、表面が若干の丸みを帯びた曲面形状をとっていてもよい。
・  反射部材は、必ずしも板形状の反射板２１に限定されず、光を反射できるものであれば、その形状は特に限定されない。また、反射部材の材質も、樹脂であることに限定されるものではなく、光反射作用を持つもつものであれば、どのようなものを採用してもよい。
【００５４】
・  照明灯具２は、必ずしも車両１の室内灯に使用されることに限らず、種々の灯具に応用可能であることは言うまでもない。
【符号の説明】
【００５５】
２…照明装置としての照明灯具、５…装置ケースとしての本体ケース、１３…面状光透過部としてのレンズ、１６…指向性光源としての光源ユニット、１７…指向性光源における複数の光源体としてのＬＥＤ、２１…反射部材としての反射板、２２…光調整部材としての光拡散フィルム、２６…溝、Ｋｃ…発光方向、Ｋｈ…直交方向、Ｍｃ…溝方向。
【図１】
2010177196.tif 000003
【図２】
2010177196.tif 000004
【図３】
2010177196.tif 000005
【図４】
2010177196.tif 000006
【図５】
2010177196.tif 000007
【図６】
2010177196.tif 000008
【図７】
2010177196.tif 000009
【図８】
2010177196.tif 000010
【図９】
2010177196.tif 000011
【図１０】
2010177196.tif 000012
【図１１】
2010177196.tif 000013